(57)【要約】【課題】試薬を分注するときだけ試薬容器の開口部を開放できる分析装置を提供すること。【解決手段】試料と試薬を反応させて前記試料を分析する分析装置において、前記試薬を格納するとともに、前記試薬を出し入れするための開口部を備えた試薬容器と、前記開口部に対し移動可能に設けられ、前記開口部を開閉するための内蓋８３と、前記試薬容器を移動させる容器棚と、前記試薬容器の動きを利用して前記内蓋８３を移動させることにより、前記開口部を開閉させる開閉機構９２とを具備する。【選択図】図３
2006030170.tif 000002
【特許請求の範囲】
【請求項１】
試料と試薬を反応させて前記試料を分析する分析装置において、
前記試薬を格納するとともに、前記試薬を出し入れするための開口部を備えた試薬容器と、
前記開口部に対し移動可能に設けられ、前記開口部を開閉するための蓋体と、
前記試薬容器を移動させる棚と、
前記試薬容器の動きを利用して前記蓋体を移動させることにより、前記開口部を開閉させる開閉手段と、
を具備することを特徴とする分析装置。
【請求項２】
前記試薬容器の動きは、回転運動であることを特徴とする請求項１記載の分析装置。
【請求項３】
前記試薬容器の動きは、直線運動であることを特徴とする請求項１記載の分析装置。
【請求項４】
前記開閉手段は、前記蓋体を前記開口部の軸線と直角に移動させることを特徴とする請求項１記載の分析装置。
【請求項５】
前記開閉手段は、前記蓋体を前記開口部の軸線と平行に移動させることを特徴とする請求項１記載の分析装置。
【請求項６】
前記蓋体が前記開口部を閉塞しているとき、前記蓋体を前記開口部側に移動せしめる部材を具備することを特徴とする請求項１記載の分析装置。
【請求項７】
試料と試薬を反応させて前記試料を分析する分析装置において、
前記試薬を格納するとともに、前記試薬を出し入れするための開口部を備えた試薬容器と、
前記開口部に対し移動可能に設けられ、前記開口部を閉塞するための蓋体と、
前記試薬容器を移動させる棚と、
前記試薬容器の動きを利用して前記蓋体を移動させることにより、開放中の前記開口部を閉塞させる閉塞手段と、
を具備することを特徴とする分析装置。
【請求項８】
前記試薬容器の動きは、回転運動であることを特徴とする請求項７記載の分析装置。
【請求項９】
前記試薬容器の動きは、直線運動であることを特徴とする請求項７記載の分析装置。
【請求項１０】
前記閉塞手段は、前記蓋体を前記開口部の軸線と直角に移動させることを特徴とする請求項７記載の分析装置。
【請求項１１】
前記閉塞手段は、前記蓋体を前記開口部の軸線と平行に移動させることを特徴とする請求項７記載の分析装置。
【請求項１２】
前記蓋体が前記開口部を閉塞しているとき、前記蓋体を前記開口部側に移動せしめる部材を具備することを特徴とする請求項７記載の分析装置。
【請求項１３】
必要に応じて所定位置に移動される試薬容器の開口部に設けられる蓋装置において、
前記試薬容器の開口部に対しスライド可能に設けられ、穴部を備えた蓋体と、
前記試薬容器の動きを利用して前記蓋体をスライドさせ、前記穴部と前記開口部の位置を調整することにより、前記試薬容器の開口部を開閉させる開閉手段と、
を具備することを特徴とする蓋装置。
【請求項１４】
試薬を保管するために使用され、必要に応じて所定位置に移動される試薬保管装置において、
前記試薬を格納するとともに、前記試薬を出し入れするための開口部を備えた試薬容器と、
前記開口部に対しスライド可能に設けられ、穴部を備えた蓋体と、
前記試薬容器の動きを利用して前記蓋体をスライドさせ、前記穴部と前記開口部の位置を調整することにより、前記試薬容器の開口部を開閉させる開閉手段と、
を具備することを特徴とする試薬保管装置。
【発明の詳細な説明】
【技術分野】
【０００１】
本発明は、試料等を検査するための分析装置、蓋装置、および試薬保管装置に関する。
【背景技術】
【０００２】
分析装置は、血液、尿、髄液等の体液や組織等の試料に試薬を混ぜ、反応状態を光で調べることにより、試料の成分分析や調査を自動で行う装置である。この分析装置は、同時に大量の成分分析や調査を行えるため、病院や検査機関等において広く利用されている。
【０００３】
図３９は従来の分析装置の斜視図である。図３９に示すサンプラ２００は、その軸線を中心として回転し、分析対象の試料が入った試料容器２０１を試料分注機構２０２の位置に移動させる。
【０００４】
試料分注機構２０２は、プローブ２０３で試料容器２０１内の試料を吸引し、反応容器２０４内に吐出する。反応ディスク５５は、その軸線を中心として回転し、反応容器２０４を試薬分注機構２０５ａ、２０５ｂの位置に移動させる。
【０００５】
試薬分注機構２０５ａ、２０５ｂは、プローブ２０６ａ、２０６ｂで試料の測定に用いられる試薬を試薬庫２０８内の試薬容器２０９から吸引し、反応ディスク５５の反応容器２０４内に吐出する。
【０００６】
その後、反応ディスク５５は、その軸線を中心として回転し、反応容器２０４を攪拌ユニット２１０の位置に移動させる。そして、攪拌ユニット２１０は、反応容器２０４内の試料と試薬の混合液を攪拌子で攪拌する。反応容器２０４内の混合液は、光度計２１１などにより成分分析される。分析終了後の反応液は廃棄され、反応容器２０４は洗浄機構２１２により洗浄される。
【０００７】
ところで、前記試薬庫２０８内には、揮発性の試薬や温度変化により変性する試薬なども保管される。そのため、従来の分析装置では、各試薬容器２０９に蓋をし、且つ試薬庫全体を冷却することで、揮発による試薬の濃縮、温度変化による試薬の劣化、および揮発した試薬の他の試薬への溶け込みが防止されていた（例えば、特許文献１〜特許文献３、及び非特許文献１を参照。）。
【特許文献１】特開２００２−４８８０３号公報
【特許文献２】特開平８−１６００５０号公報
【特許文献３】特開平７−２０１３２号公報
【非特許文献１】“試薬蒸散に起因する他検査試薬への影響とその対策”  佐藤俊実、田仁健二、芳村一、櫻林郁之介
【発明の開示】
【発明が解決しようとする課題】
【０００８】
しかしながら、この分析装置では、使用前後に蓋の付け外し作業が必要となる。この作業は、使用者にとって大きな負担である。しかも、試薬容器に蓋をし忘れると、試薬容器の中の試薬が劣化あるいは濃縮し、その後、良好な分析が行えなくなることもある。
【０００９】
さらに、２４時間などの長時間使用では、その間ずっと試薬容器の開口部を開放しておく必要があり、試薬の劣化や濃縮による分析への影響が懸念される。また、揮発した試薬が他の試薬容器内の試薬に溶け込み、試薬の性質を変化させることもある。
【００１０】
本発明は、前記事情を鑑みてなされたものであって、その目的とするところは、試薬を分注するときだけ試薬容器の開口部を開放できる分析装置、蓋装置、および試薬保管装置を提供することにある。
【課題を解決するための手段】
【００１１】
前記課題を解決し目的を達成するために、本発明の分析装置、蓋手段、および試薬保管装置は次のように構成されている。
【００１２】
（１）試料と試薬を反応させて前記試料を分析する分析装置において、前記試薬を格納するとともに、前記試薬を出し入れするための開口部を備えた試薬容器と、前記開口部に対し移動可能に設けられ、前記開口部を開閉するための蓋体と、前記試薬容器を移動させる棚と、前記試薬容器の動きを利用して前記蓋体を移動させることにより、前記開口部を開閉させる開閉手段とを具備する。
【００１３】
（２）（１）に記載された分析装置において、前記試薬容器の動きは、回転運動である。
【００１４】
（３）（１）に記載された分析装置において、前記試薬容器の動きは、直線運動である。
【００１５】
（４）（１）に記載された分析装置において、前記開閉手段は、前記蓋体を前記開口部の軸線と直角に移動させる。
【００１６】
（５）（１）に記載された分析装置において、前記開閉手段は、前記蓋体を前記開口部の軸線と平行に移動させる。
【００１７】
（６）（１）に記載された分析装置において、前記蓋体が前記開口部を閉塞しているとき、前記蓋体を前記開口部側に移動せしめる部材を具備する。
【００１８】
（７）試料と試薬を反応させて前記試料を分析する分析装置において、前記試薬を格納するとともに、前記試薬を出し入れするための開口部を備えた試薬容器と、前記開口部に対し移動可能に設けられ、前記開口部を閉塞するための蓋体と、前記試薬容器を移動させる棚と、前記試薬容器の動きを利用して前記蓋体を移動させることにより、開放中の前記開口部を閉塞させる閉塞手段とを具備する。
【００１９】
（８）（７）に記載された分析装置において、前記試薬容器の動きは、回転運動である。
【００２０】
（９）（７）に記載された分析装置において、前記試薬容器の動きは、直線運動である。
【００２１】
（１０）（７）に記載された分析装置において、前記閉塞手段は、前記蓋体を前記開口部の軸線と直角に移動させる。
【００２２】
（１１）（７）に記載された分析装置において、前記閉塞手段は、前記蓋体を前記開口部の軸線と平行に移動させる。
【００２３】
（１２）（７）に記載された分析装置において、前記蓋体が前記開口部を閉塞しているとき、前記蓋体を前記開口部側に移動せしめる部材を具備する。
【００２４】
（１３）必要に応じて所定位置に移動される試薬容器の開口部に設けられる蓋装置において、前記試薬容器の開口部に対しスライド可能に設けられ、穴部を備えた蓋体と、前記試薬容器の動きを利用して前記蓋体をスライドさせ、前記穴部と前記開口部の位置を調整することにより、前記試薬容器の開口部を開閉させる開閉手段とを具備する。
【００２５】
（１４）試薬を保管するために使用され、必要に応じて所定位置に移動される試薬保管装置において、前記試薬を格納するとともに、前記試薬を出し入れするための開口部を備えた試薬容器と、前記開口部に対しスライド可能に設けられ、穴部を備えた蓋体と、前記試薬容器の動きを利用して前記蓋体をスライドさせ、前記穴部と前記開口部の位置を調整することにより、前記試薬容器の開口部を開閉させる開閉手段とを具備する。
【発明の効果】
【００２６】
本発明によれば、試薬を分注するときだけ試薬容器の開口部が開放されるから、試薬の劣化や濃縮、あるいは他の試薬への溶け込み等が防止される。
【発明を実施するための最良の形態】
【００２７】
以下、図面を参照しながら本発明の第１実施形態〜第１２実施形態について説明する。  
（第１実施形態）  
図１〜図７を用いて本発明の第１実施形態を説明する。  
（分析装置の構成）  
図１は本発明の第１実施形態に係る分析装置の概略的な斜視図、図２は同実施形態に係る試薬庫の概略的な斜視図である。
【００２８】
図１と図２に示すように、この分析装置は、装置本体１０、試料容器２１、架台２２、試料分注アーム２３、試薬容器５１、試薬庫５２、容器棚５３、試薬分注アーム２８、反応ディスク２９、反応管３０、電極ユニット３１、洗浄ユニット３２、測定ユニット３３、攪拌ユニット４０、試料容器４１、制御部４４、記憶部４５、開閉ブロック６１、および蓋部材７１を具備している。
【００２９】
以下、前記構成要素について説明する。  
試料容器２１は、人体の血清等の試料を格納する。
【００３０】
架台２２は、複数の試料容器２１を支持するとともに、分析対象となる試料を格納した試料容器２１を所定のシーケンスに従って試料分注プローブ２３０の位置まで移動させる。
【００３１】
なお、本実施形態では、試料容器２１を直線的に移動させる架台２２を使用しているが、これに限定されるものではなく、試料容器２１を例えば環状に並べて支持するディスクサンプラを使用してもよい。
【００３２】
試料分注アーム２３は、試料分注プローブ２３０を有している。この試料分注プローブ２３０は、試料分注アーム２３の支柱を中心に回転し、且つ支柱に沿って上下動する。分注動作において、この試料分注アーム２３は、試料分注プローブ２３０を用いて試料容器２１から所定の試料を吸引し、反応管３０内に吐出する。
【００３３】
試薬容器５１は、試料と反応させる試薬を格納するものであり、その上面には口部５１ａが設けられている。この口部５１ａは、その中心部に試薬の出し入れを行うための開口部５１ｂを備え、外周部にネジ溝５１ｃを備えている。この口部５１ａには、蓋部材７１が着脱可能に設けられている。なお、蓋部材７１は、本発明の重要な構成であるため、後で詳細に説明する。
【００３４】
試薬庫５２は円筒状をしており、その軸線が垂直方向を向く姿勢で装置本体１０に固定されている。試薬庫５２の上端の試薬分注アーム２８と対向する位置（以下、「分注位置」と称する。）には、開閉ブロック６１が設けられている。この開閉ブロック６１は、前記蓋部材７１と共に、開口部５１ｂを開閉するための開閉機構９２を構成している。なお、開閉ブロック６１は、本発明の重要な構成であるため、後で詳細に説明する。
【００３５】
容器棚５３は、試薬庫５２内において、試薬庫５２の軸線を中心として回転可能に支持されている。容器棚５３の外周部には、複数の試薬容器５１が着脱可能に保持されている。容器棚５３には、駆動装置（図示しない）が接続されている。この駆動装置は、制御部４４からの指示に従い、分析項目に応じたタイミングで容器棚５３を回転させ、所定の試薬が格納された試薬容器５１を分注位置に移動させる。
【００３６】
反応ディスク２９は、その外周部に複数の反応管３０を備えており、所定のシーケンスに従い、所定の反応管３０を試料分注アーム２３、試薬分注アーム２８、あるいは攪拌ユニット４０の位置に移動させる。
【００３７】
反応管３０は、試料と試薬を反応させる高質ガラス製、又はプラスチック等の透明な容器であり、試料の種類に応じた温度に調整される。たとえば試料が血清である場合、反応管３０の温度は、人体温度（約３７℃）程度に調整される。また、反応管３０内では、攪拌ユニット４０の攪拌子等が所定の洗剤により洗浄される。
【００３８】
電極ユニット３１は、試料と試薬との混合液の特定電解質の成分量を測定する。
【００３９】
洗浄ユニット３２は、測定後の反応管３０を洗浄する。洗浄液としては、水や洗剤等が用いられる。
【００４０】
測定ユニット３３は、試料の吸光度を測定して、試薬が添加された試料の発色状態等の反応過程を検査する。データ制御部（図示しない）では、この測定結果に基づいて、キャリブレーション等による分析成分の濃度演算等が行われる。なお、吸光度の測定法としては、例えば比色法と呼ばれる方法が用いられる。
【００４１】
攪拌ユニット４０は、攪拌子で反応管３０内の試料と試薬を攪拌し、これらを十分に反応させる。なお、試料と試薬を攪拌したら、次の試料と試薬を攪拌する前に、攪拌ユニット４０の攪拌子が水または所定の洗剤により洗浄される。
【００４２】
試料容器４１は、試料分注プローブ２３０に付着した試料などを洗浄するための洗剤を格納する。
【００４３】
制御部４４は、この分析装置の動作に関する総括的な制御を行う。すなわち、この制御部４４は、試料容器２１、架台２２、試料分注アーム２３、試薬分注アーム２８、反応ディスク２９、電極ユニット３１、測定ユニット３３、攪拌ユニット４０、試薬容器５１、および容器棚５３等の動作に関する制御を行う。
【００４４】
記憶部４５は、試料と測定項目とを対応づける対応テーブルや、測定項目と洗剤とを対応づける対応テーブル等を記憶している。試薬の分注や攪拌子の洗浄等は、これらの対応テーブルに基づいて行われる。
【００４５】
次に、図３〜図６を参照しながら蓋部材７１および開閉ブロック６１の構成について詳細に説明する。
【００４６】
図３は同実施形態に係る蓋部材７１と開閉ブロック６１の概略的な平面図、図４は同実施形態に係る内蓋８３が閉塞位置にあるときの蓋部材７１と開閉ブロック６１の横断面図、図５は同実施形態に係る内蓋８３が開放位置にあるときの蓋部材７１と開閉ブロック６１の横断面図、図６は同実施形態に係る揺動アーム８７と内蓋８３の斜視図である。
【００４７】
図３〜図６に示すように、この蓋部材７１は、試薬容器５１の口部５１ａに被嵌される外蓋７２を備えている。この外蓋７２は略円柱状をしており、その下面には試薬容器５１の口部５１ａを収納する収納部７３が形成されている。
【００４８】
なお、収納部７３の内周面と口部５１ａの外周面との間には、シール材７４が設けられている。シール材７４としては、ラバーなどの柔軟な素材が用いられる。これにより、口部５１ａに蓋部材７１を取付けた後であっても、口部５１ａに対して蓋部材７１が回転可能となる。
【００４９】
外蓋７２の上壁部７２ａには、上壁開口部７５が設けられている。この上壁開口部７５は収納部７３と連通しており、その内周面の下側部には環状の突出部７６が設けられている。突出部７６の上面には、シール材７７（例えばＯリングなど、以下「シール材７７」と表記する）が配設されている。
【００５０】
外蓋７２の周壁部７２ｂには、試薬庫５２の壁部と対向する位置に、周壁開口部７９が設けられている。この周壁開口部７９は上壁開口部７５と連通しており、その内側には支持ピン８０が水平に設けられている。また、周壁開口部７９と対向する位置には、丸棒状の支柱８２が垂直に設けられている。この支柱８２は、ブラケット８１を介して外蓋７２の周壁部７２ｂに固定されている。
【００５１】
上壁開口部７５内には、試薬容器５１の開口部５１ｂを開閉する帯板状の内蓋８３が略水平に設けられている。内蓋８３の支持部８４は、周壁開口部７９から外蓋７２の径方向外側に突出し、その先端部は支柱８２により回動可能、且つ上下移動可能に支持されている。
【００５２】
これにより、内蓋８３は支柱８２を中心に回転することで、試薬容器５１の口部５１ａの直上から退避した退避位置（図３中に点線で示す位置。）、および試薬容器５１の口部５１ａの直上位置（図３中に実線で示す位置。）に移動できるようになっている。
【００５３】
内蓋８３が前記退避位置に移動すると、口部５１ａの上方に形成された空間部Ｓは、上壁開口部７５を介して蓋部材７１の外部と連通する。このことは、試薬容器５１の開口部５１ｂが開放したことを意味する。
【００５４】
また、内蓋８３が前記直上位置に移動すると、内蓋８３とシール材７７とが密着し、口部５１ａの上方に形成された空間部Ｓが密閉される。このことは、試薬容器５１の開口部５１ｂが閉塞されたことを意味する。そこで、前記退避位置を「開放位置」と称し、前記直上位置を「閉塞位置」と称する。
【００５５】
支柱８２には第１のバネ９３が被嵌されている。この第１のバネ９３は、下端部と上端部がそれぞれブラケット８１と内蓋８３に固定されており、その弾性力で内蓋８３を上方および矢印Ｂ方向に付勢している。
【００５６】
上壁開口部７５内には、環状の押圧部材８５が略水平に設けられている。この押圧部材８５は内蓋８３の上側に位置しており、更にその上側には第２のバネ８６が設けられている。この第２のバネ８６は上壁開口部７５内に収納されており、押圧部材８５を介して内蓋８３を下方に押圧している。
【００５７】
押圧部材８５の外周面の所定位置には、揺動アーム８７の一端部が回転可能に連結されている。この揺動アーム８７は、内蓋８３の側方に位置しており、その中途部は前記支持ピン８０により回動可能に支持されている。揺動アーム８７の他端部は、周壁開口部７９から外蓋７２の外側に突出しており、その先端部には被案内ブロック８８が設けられている。
【００５８】
被案内ブロック８８が下降すると、この動きに連動して押圧部材８５が上昇し、第１のバネ９３により上方に付勢されている内蓋８３は、押圧部材８５の上昇分だけ上昇することになる。また、被案内ブロック８８が上昇すると、この動きに連動して押圧部材８５が下降し、内蓋８３を第１のバネ９３の付勢力に抗して押し下げることになる。
【００５９】
揺動アーム８７には、略三角錐状の開放用爪部８９が内蓋８３と対向して設けられている。この開放用爪部８９は、支持ピン８０と支柱８２との間に位置しており、１つの稜線９１を内蓋８３に向けている。この稜線９１は、上方に行くにつれて内蓋８３に向かって迫り出すように傾斜しており、その中途部には内蓋８３が接触している。
【００６０】
従って、被案内ブロック８８が下降すると、この動きに連動して開放用爪部８９が下降し、開放用爪部８９の稜線９１が内蓋８３に向かって移動する。その結果、内蓋８３は、稜線９１に押されて矢印Ａ方向に回転し、開放位置に移動する。
【００６１】
また、被案内ブロック８８が上昇すると、この動きに連動して開放用爪部８９が上昇し、開放用爪部８９の稜線９１が内蓋８３から離れる方向に移動する。その結果、第１のバネ９３により付勢されている内蓋８３は、稜線９１が移動した分だけ矢印Ｂ方向に回転し、閉塞位置に移動する。
【００６２】
図７は同実施形態に係る開閉ブロック６１の正面図である。
【００６３】
図７に示すように、この開閉ブロック６１は、試薬庫５２の内側に突出しており、その下面には案内面６２が形成されている。この案内面６２は、被案内ブロック８８の動きを案内するためのものであり、水平案内面６２ａと、水平案内面６２ａの両側に連なる２つの傾斜案内面６２ｂとから構成されている。
【００６４】
（分析装置の動作）
制御部４４が試料と反応させる試薬を認識したら、駆動装置により容器棚５３が回転され、対象の試薬を格納した試薬容器５１が分注位置に移動される。そして、対象の試薬容器５１が分注位置に接近していくと、揺動アーム８７の被案内ブロック８８が開閉ブロック６１の傾斜案内面６３ｂに接触し、この傾斜案内面６３ｂに沿って下降する。
【００６５】
被案内ブロック８８が下降すると、その動きに連動して押圧部材８５が上昇する。これにより、押圧部材８５の内蓋８３に対する押圧が解除され、第１のバネ９３の弾性力により内蓋８３が押圧部材８５の上昇分だけ上昇する。
【００６６】
また、被案内ブロック８８が下降すると、押圧部材８５が上昇するのと同時に、開放用爪部８９が下降する。これにより、開放用爪部８９の稜線９１は、内蓋８３を矢印Ａ方向に押し進め、開放位置に移動させる。その結果、試薬容器５１の口部５１ａの上方に形成された空間部Ｓが蓋部材７１の外部と連通した状態となり、試薬容器５１の開口部５１ｂが開放される。
【００６７】
なお、被案内ブロック８８が開閉ブロック６１の傾斜案内面６３ｂから水平案内面６３ａに移行すると、被案内ブロック８８は一定の高さに維持される。そのため、被案内ブロック８８が水平案内面６２ａと接触している間、内蓋８３は開放位置に留まっている。
【００６８】
内蓋８３が開放位置に移動したら、容器棚５３の回転が停止する。そして、上壁開口部７５から試薬容器５１内に試薬分注プローブ２８０が挿入され、試薬の吸引、分注が行われる。
【００６９】
試薬の分注が終了したら、容器棚５３が再び回転され、次に使用する試薬を格納する試薬容器５１が分注位置に移動される。このときも、押圧部材８５は、第２のバネ８６により下方に付勢されている。そのため、試薬容器５１が分注位置から遠ざかるのに伴い、被案内ブロック８８が水平案内面６２ａから傾斜案内面６２ｂに移行すると、内蓋８３が押圧部材８５により押し下げられ、被案内ブロック８８が開閉ブロック６１の傾斜案内面６１ｂに沿って上昇する。
【００７０】
被案内ブロック８８が上昇すると、その動きに連動して開放用爪部８９が上昇し、開放用爪部８９の稜線９１が内蓋８３から離れる方向に移動する。これにより、第１のバネ９３により付勢されている内蓋８３は、稜線９１が移動した分だけ矢印Ｂ方向に移動し、閉塞位置に移動する。これにより、試薬容器５１の口部５１ａの上方に形成された空間部Ｓは再び密閉された状態となり、試薬容器５１の開口部５１ｂが閉塞される。
【００７１】
閉塞位置に戻された内蓋８３は、下降してきた押圧部材８５によりシール材７７に対して所定圧力で密着する。これにより、試薬容器５１の口部５１ａの上部に形成された空間部Ｓは、高い密閉状態となる。
【００７２】
（蓋部材７１の取付け方法）
使用者は、蓋部材７１の外蓋７２に形成された収納部７３に、試薬容器５１の口部５１ａを挿入し、蓋部材７１を口部５１ａに対して回転させて、内蓋８３の長手方向を試薬容器５１の回転方向と直交する方向に設定する。これにより、蓋部材７１は、試薬容器５１の口部５１ａに正確に取付けられる。
【００７３】
（本実施形態による作用）
本実施形態に係るの分析装置によれば、試薬容器５１が分注位置に接近するときの試薬容器５１の回転運動を利用して、試薬容器５１の開口部５１ｂの開放動作が行われている。また、試薬容器５１が分注位置から離間するときの試薬容器５１の回転運動を利用して、試薬容器５１の開口部５１ｂの閉塞動作が行われている。
【００７４】
したがって、試薬容器５１の開口部５１ｂは、分注時のみ開放されることになるから、オペレータの作業が軽減されて作業効率が向上する。しかも、アクチュエータ等の装置が不要であるから、構成が複雑化することがない。
【００７５】
また、本実施形態に係る分析装置によれば、内蓋８３が閉塞位置にあるときには、押圧部材８５が内蓋８３をシール材７７に押圧している。そのため、非分注時には、試薬容器５１の口部５１ａの上方に形成された空間部Ｓが高い密閉状態になるから、試薬の揮発、変質などが一層防止される。
【００７６】
さらに使用者は、試薬庫５２の上端部に開閉ブロック６１を取付けるとともに、試薬容器５１の口部５１ａに蓋部材７１を取付けるだけで、本発明の分析装置を得ることができる。
【００７７】
しかも、収納部７３の内周面と口部５１ａの外周面との間には、柔軟性のあるシール材７４が設けられている。このため、口部５１ａに蓋部材７１を取付けた後であっても、蓋部材７１が口部５１ａに対して回転可能となるから、内蓋８３の向きが容易に調整される。
【００７８】
（第２実施形態）
次に、図８〜図１１を用いて本発明の第２実施形態を説明する。なお、ここでは前記実施形態と同じ構成については、同じ符号を付してその説明を省略する。
【００７９】
図８は本発明の第２実施形態に係る蓋部材７１ａと開閉ブロック６１の概略的な平面図、図９は同実施形態に係る内蓋８３ａが閉塞位置にあるときの蓋部材７１ａと開閉ブロック６１の横断面図、図１０は同実施形態に係る内蓋８３ａが開放位置にあるときの蓋部材７１ａと開閉ブロック６１の横断面図、図１１は同実施形態に係る揺動アーム８７と内蓋８３ａの概略的な斜視図である。
【００８０】
図８〜図１１に示すように、本実施形態に係る蓋部材７１ａは、揺動アーム８７の内蓋８３ａと対向する面に、内蓋８３ａを閉塞位置に移動させるための、略三角錐状の閉塞用爪部９５を備えている。
【００８１】
この閉塞用爪部９５は、支柱８２よりも被案内ブロック８８側に位置しており、１つの稜線９６を内蓋８３ａの支持部８４ａ側に向けている。この稜線９６は、上方に行くにつれて内蓋８３ａから離れるように傾斜しており、その中途部には内蓋８３ａが接触している。
【００８２】
ここで重要なのは、閉塞用爪部９５が支柱８２を挟んで開放用爪部８９の反対側に位置していることと、開放用爪部８９の稜線９１と閉塞用爪部９５の稜線９６が逆方向に傾斜していることである。
【００８３】
前記構成の分析装置では、内蓋８３ａが開放位置にあるときに、揺動アーム８７の被案内ブロック８８が上昇すると、この動きに連動して閉塞用爪部９５が上昇する。これにより、閉塞用爪部９５の稜線９６が支持部８４ａを矢印Ｂ方向に押し進め、内蓋８３ａが閉塞位置に移動する。
【００８４】
このような構成にしても、試薬容器５１の開口部５１ｂは、分注時だけ開放されるから、試薬の劣化や変性が防止される。
【００８５】
（第３実施形態）
次に、図１２〜図１４を用いて本発明の第３実施形態を説明する。なお、ここでは前記実施形態と同じ構成については、同じ符号を付してその説明を省略する。
【００８６】
図１２は本発明の第３実施形態に係る蓋部材７１ｂと開閉ブロック６１の概略的な平面図、図１３は同実施形態に係る内蓋８３ｂが閉塞位置にあるときの蓋部材７１ｂと開閉ブロック６１の横断面図、図１４は同実施形態に係る内蓋８３ｂが開放位置にあるときの蓋部材７１ｂと開閉ブロック６１の横断面図である。
【００８７】
図１２〜図１４に示すように、本実施形態に係る蓋部材７１ｂは、外蓋７２の周壁部７２ｂの周壁開口部７９と反対側の位置に挿入開口部９９を備えている。内蓋８３ｂの支持部８４ｂは、この挿入開口部９９から外蓋７２の径方向外方に突出している。支持部８４ｂの中途部は、挿入開口部９９と対向するように配置された支柱１００を中心に回動可能、かつ上下移動可能に支持されている。
【００８８】
この支柱１００は、ブラケット８１ａを介して外蓋７２の周壁部７２ｂに固定されており、その外周部には第３のバネ１０１が設けられている。この第３のバネ１０１は、下端部と上端部が、それぞれブラケット８１ａと内蓋８３ｂに固定されており、その弾力性で内蓋８３ｂを上方および矢印Ｂ方向に付勢している。
【００８９】
また、試薬庫５２の上面開口部には、カバー部材１０２が設けられている。カバー部材１０２の下面には、内蓋８３ｂを開放位置に移動させるための開放ピン１０３が開閉ブロック６１と対向するように設けられている。
【００９０】
この開放ピン１０３は、試薬庫５２の径方向において、内蓋８３ｂの支持部８４ｂの先端部と略同じ位置に配置されている。これにより、試薬容器５１が矢印Ｘ方向に移動しながら分注位置に接近してくると、支持部８４ｂの先端部と開放ピン１０３とが衝突することになる。
【００９１】
支持部８４ｂの先端部と開放ピン１０３とが衝突すると、内蓋８３ｂは矢印Ａ方向に回転して開放位置に移動する。内蓋８３ｂが開放位置に移動したら、上壁開口部７５から試薬容器５１内に試薬分注プローブ２８０が挿入され、試薬の吸引、分注が行われる。
【００９２】
なお、支持部８４ｂの先端部と開放ピン１０３が衝突するときには、揺動アーム８７の動作により押圧部材８５が上昇している。そのため、内蓋８３ｂはシール材７７に押圧されていないから、内蓋８３ｂの移動が妨害されることはない。
【００９３】
試薬の分注が終了したら、容器棚５３が回転され、次に使用する試薬を格納する試薬容器５１が分注位置に移動される。これにより、支持部８４ｂの先端部が開放ピン１０３から離れ、第３のバネ１０１の付勢により内蓋８３ｂが矢印Ｂ方向に回転する。その結果、内蓋８３ｂは、閉塞位置に移動することになる。
【００９４】
このような構成にしても、分注時だけ試薬容器５１の開口部５１ｂが開放されるから、試薬の劣化や変性が防止される。
【００９５】
（第４実施形態）
次に、図１５と図１６を用いて本発明の第４実施形態を説明する。なお、ここでは前記実施形態と同様の構成については、同様の符号を付してその説明を省略する。
【００９６】
図１５は本発明の第４実施形態に係る蓋部材７１ｃとアクチュエータ１０４の概略的な平面図、図１６は同実施形態に係る蓋部材７１ｃとアクチュエータ１０４の横断面図である。
【００９７】
図１５と図１６に示すように、本実施形態に係る分析装置は、試薬庫５２の上端部に、前記開閉ブロック６１の代わりに、内蓋８３ｃを移動させるためのアクチュエータ１０４を備えている。すなわち、本実施形態では、アクチュエータ１０４と蓋部材７１ｃにより、開口部５１ｂの開閉を行うための開閉機構９２ａが構成されている
アクチュエータ１０４は、水平面内で往復移動する移動アーム１０４ａを備えている。この移動アーム１０４ａは、内蓋８３ｃの一端部の設けられた係合部１１６と係合し、この係合部１１６ｗを矢印Ｃ方向あるいは矢印Ｄ方向に押圧する。これにより、内蓋８３ｃは、開放位置および閉塞位置に移動されることになる。従って、本実施形態では、内蓋８３ｃの係合部１１６が周壁開口部７９から外蓋７２の外方に突出している。
【００９８】
アクチュエータ１０４には認識部４６が接続されている。この認識部４６は、対象の試薬容器５１が分注位置に到達したこと、および試薬の分注が完了したことを認識する。
【００９９】
内蓋８３ｃの支持部８４ｃは、外蓋７２を挟んでアクチュエータ１０４と反対側に配置された支柱１０５により回転可能に支持されている。ただし、本実施形態では、内蓋８３ｃは上下方向に対して移動不可能となっている。このため、試薬容器５１の口部５１ａの上方に形成される空間部Ｓの密閉性を高めるために、内蓋８３ｃの上面側にもシール材１０６（例えばＯリングなど）が設けられている。すなわち、この内蓋８３ｃは、２つのシール材７７、１０６で上下から挟み込まれている。
【０１００】
認識部４６により試薬容器５１が分注位置に到達したことが認識されたら、移動アーム１０４ａが矢印Ｃ方向に駆動される。これにより、内蓋８３ｃは、移動アーム１０４ａにより矢印Ａ方向に回転され、開放位置（図１５中に点線で示す位置。）に移動する。
【０１０１】
そして、試薬容器５１の開口部５１ｂが開放したら、上壁開口部７５から試薬容器５１内に試薬分注プローブ２８０が挿入され、試薬の吸引、分注が行われる。
【０１０２】
認識部４６により試薬の分注が終了したことが認識されたら、移動アーム１０４ａが矢印Ｄ方向に駆動される。これにより、内蓋８３ｃは、移動アーム１０４ａにより矢印Ｂ方向に回転され、閉塞位置（図１５中に実線で示す位置。）に移動する。
【０１０３】
このようにしても、分注時だけ試薬容器５１の開口部５１ｂが開放されるから、試薬の劣化や変性が防止される。
【０１０４】
（第５実施形態）
次に、図１７〜図１９を用いて本発明の第５実施形態を説明する。
【０１０５】
図１７は本発明の第５実施形態に係る蓋部材７１ｄとアクチュエータ１０４の概略的な平面図、図１８は同実施形態に係る蓋部材７１ｄとアクチュエータ１０４の横断面図、図１９は同実施形態に係る押圧部材８５と解除部材１０８の側面図である。
【０１０６】
図１７〜図１９に示すように、本実施形態に係る蓋部材７１ｄは、第４実施形態に係る蓋部材７１ｃに、内蓋８３ｃをシール材７７側に押圧するための押圧部材８５と、内蓋８３ｃを開放位置に移動させるときに、押圧部材８５による押圧を解除するための解除部材１０８とが付加されたものである。
【０１０７】
押圧部材８５は、第１実施形態と殆んど同様のものであるが、その外周面には２つの解除用突起１０７ａが設けられている。これら解除用突起１０７ａは、押圧部材８５の周方向に対して略１８０度ずれた位置に配置されている。
【０１０８】
また、解除部材１０８は、支柱により回転可能に支持されており、その所定位置には２本の解除片１０９が所定間隔で設けられている。これら解除片１０９は、先端部に傾斜面１０９ａを有している。解除部材１０８は、これらの傾斜面１０９ａを解除用突起１０７ａの下の滑り込ませ、押圧部材８５を持ち上げることで、押圧部材８５の内蓋８３ｃに対する押圧を解除する。
【０１０９】
すなわち、容器棚５３の回転により試薬容器５１が分注位置に到達したら、認識部４６からの駆動信号により移動アーム１０４ａが矢印Ｃ方向に駆動され、その先端部を解除部材１０８に係合させる。
【０１１０】
移動アーム１０４ａと解除部材１０８が係合したら、移動アーム１０４ａは更に矢印Ｃ方向に駆動され、解除片１０９を押圧部材８５の解除用突起１０７ａの下に滑り込ませる。これにより、押圧部材８５は、解除片１０９の厚さ分だけ持ち上げられ、押圧部材８５の内蓋８３ｃに対する押圧が解除される。
【０１１１】
押圧部材８５による押圧が解除されたら、移動アーム１０４ａは更に矢印Ｃ方向に駆動される。そして、移動アーム１０４ａと内蓋８３ｃの係合部１１６が係合したら、移動アーム１０４ａが更に矢印Ｃ方向に駆動される。これにより、内蓋８３ｃは、矢印Ａ方向に回転され、開放位置（図１７中に点線で示す位置。）に移動する。そして、試薬容器５１の開口部５１ｂが開放したら、上壁開口部７５から試薬容器５１内に試薬分注プローブ２８０が挿入され、試薬の吸引、分注が行われる。
【０１１２】
試薬の分注が終了したら、認識部４６からの駆動信号により移動アーム１０４ａが矢印Ｂ方向に移動させる。これにより、内蓋８３ｃが閉塞位置に戻され、これと同時に内蓋８３ｃが押圧部材８５によりシール材７７に押圧される。
【０１１３】
このような構成すれば、試薬容器５１の口部５１ａの上方に設けられる空間部Ｓの密閉性が高まり、試薬の劣化や変性が更に防止される。
【０１１４】
（第６実施形態）
次に、図２０〜図２６を用いて本発明の第６実施形態を説明する。
【０１１５】
図２０は本発明の第６実施形態に係る案内部材１１０と蓋部材７１ｅの概略的な平面図、図２１は同実施形態に係る案内部材１１０の図２０のＡ−Ａ線における断面図、図２２は同実施形態に係る案内部材１１０の図２０のＢ−Ｂ線における断面図、図２３は同実施形態に係る内蓋８３ｅが閉塞位置にあるときの案内部材１１０と蓋部材７１ｅの横断面図、図２４は同実施形態に係る内蓋８３ｅが開放位置にあるときの案内部材１１０と蓋部材７１ｅの横断面図、図２５は同実施形態に係る内蓋８３ｅが閉塞位置にあるときの内蓋８３ｅと開口部５１ｂとの関係図、図２６は同実施形態に係る内蓋８３ｅが開放位置にあるときの内蓋８３ｅと開口部５１ｂとの関係図である。
【０１１６】
図２０〜図２６に示すように、本実施形態に係る分析装置は、試薬庫５２の分注位置に案内部材１１０を備えている。案内部材１１０の下面には、溝部１１１が形成されている。溝部１１１の側面には、２つのガイド面１１２が対向して形成されている。これらガイド面１１２は、試薬庫５２の周方向の真中に近づくにつれて試薬庫５２の軸線に接近するような滑らかな波型形状をしている。
【０１１７】
また、本実施形態に係る外蓋７２の周壁部７２ｂは、挿通穴１１３ａ、１１３ｂを備えている。挿通穴１１３ａ、１１３ｂは、それぞれ試薬庫５２の軸線と壁部に対向しており、その中には帯板状の内蓋８３ｅが試薬庫５２の径方向に対して移動可能に挿入されている。内蓋８３ｅの両端部は、前記各挿通穴１１３ａ、１１３ｂから外蓋７２の外に突出している。内蓋８３ｅの所定位置には、円形の穴部１１５が形成されている。
【０１１８】
例えば、内蓋８３ｅの移動により、図２５に示すように穴部１１５が試薬容器５１の開口部５１ｂと対向すると、口部５１ａの上方に形成された空間部Ｓが蓋部材７１ｅの外部と連通し、試薬容器５１の開口部５１ｂが開放される。従って、このときの内蓋８３ｅの位置を「開放位置」とする。
【０１１９】
又、内蓋８３ｅの移動により、図２６に示すように穴部１１５が試薬容器５１の開口部５１ｂと対向すると、口部５１ａの上方に形成された空間部Ｓが密閉された状態となる。これにより、試薬容器５１の開口部５１ｂは閉塞される。従って、このときの内蓋８３ｅの位置を「開放位置」とする。
【０１２０】
制御部４４が試料と反応させる試薬を認識したら、容器棚５３が回転され、分析に使用する試薬容器５１が分注位置に向かって移動する。そして、蓋部材７１ｅの内蓋８３ｅが案内部材１１０の溝部１１１内に進入する。
【０１２１】
内蓋８３ｅは、試薬容器５１の分注位置への接近に伴い、案内部材１１０のガイド面１１２により試薬庫５２の軸線側に押し出される。これにより、内蓋８３ｅが開放位置に移動して、試薬容器５１の開口部５１ｂが開放される。そして、上壁開口部７５から試薬容器５１内に試薬分注プローブ２８０が挿入され、試薬の吸引、分注が行われる。
【０１２２】
試薬の分注が終了したら、容器棚５３の回転により次に使用する試薬を格納する試薬容器５１が分注位置に向けて移動される。このとき内蓋８３ｅは、分注が終了した試薬容器５１が分注位置から遠ざかるのに伴い、案内部材１１０のガイド面１１２により試薬庫５２の壁側に押し出される。これにより、内蓋８３ｅが閉塞位置に移動して、試薬容器５１の開口部５１ｂが閉塞される。このような構成にしても、分注時のみ試薬容器５１の開口部５１ｂが開放されるから、試薬の変性や劣化が防止される。
【０１２３】
（第７実施形態）
次に、図２７〜図２９を用いて本発明の第７実施形態を説明する。
【０１２４】
図２７は本発明の第７実施形態に係る案内部材１１０と蓋部材７１ｆの概略的な平面図、図２８は同実施形態に係る内蓋８３ｅが閉塞位置にあるときの案内部材１１０と蓋部材７１ｆの横断面図、図２９は同実施形態に係る内蓋８３ｅが開放位置にあるときの案内部材１１０と蓋部材７１ｆの横断面図である。
【０１２５】
図２７〜図２９に示すように、本実施形態に係る蓋部材７１ｆは、第６実施形態に係る蓋部材７１ｅに対して、内蓋８３ｅをシール材７７に押圧するための押圧部材８５と、内蓋８３ｅを開放位置に移動させるときに、押圧部材８５の内蓋８３ｅに対する押圧を解除するための解除用部材１２１とが付加されたものである。
【０１２６】
押圧部材８５は、第６実施形態と殆んど同様のものであるが、外周面に２つの解除用突起１０７ａを備えている。これら解除用突起１０７ａは、押圧部材８５の周方向に対して略１８０度ずれた位置に配置されている。
【０１２７】
解除用部材１２１は、それぞれ内蓋８３ｅの上面に、内蓋８３ｅの長手方向に沿って設けられており、内蓋８３ｅと一体的に試薬庫５２の径方向に移動するようになっている。これらの解除用部材１２１は、先端部の上面に試薬庫５２の軸線に近づくにつれて低くなる傾斜面１２１ａを備えている。
【０１２８】
この解除用部材１２１は、内蓋８３ｅが試薬庫５２の軸線に向かう力を利用して、傾斜面１２１ａを解除用突起１２０ａの下に滑り込ませることで、押圧部材８５を持ち上げ、押圧部材８５の内蓋８３ｅに対する押圧を解除するものである。
【０１２９】
このような構成であっても、試薬容器５１の口部５１ａの上方に形成された空間部Ｓの密閉性が高まるから、試薬容器５１内の試薬の劣化・変性が更に抑制される。
【０１３０】
（第８実施形態）
次に、図３０を用いて本発明の第８実施形態を説明する。
【０１３１】
図３０は本発明の第８実施形態に係る案内部材１１０と蓋部材７１ｅの概略的な平面図である。
【０１３２】
図３０に示すように、本実施形態に係る分析装置は、直方体状の試薬庫５２ａを備え、その内部には直動式の容器棚５３ａが設けられている。この容器棚５３ａは、複数の試薬容器５１を保持しており、制御部４４からの指示に従って、これらの試薬容器５１を試薬庫５２ａの矢印ｍ方向に往復搬送する。
【０１３３】
内蓋８３ｅの移動は、第６実施形態と同じ要領で行われる。ただし、第６実施形態では、内蓋８３ｅを移動させるために試薬容器５１の回転運動が利用されているが、本実施形態では試薬容器５１の直線運動が利用されている。なお、容器棚５３ａ、及び試薬容器５１の運動形態以外の構成は、第６実施形態と殆んど同様である。このような形態にしても、第６実施形態と同様の効果を得ることができる。
【０１３４】
（第９実施形態）
次、図３１を用いて本発明の第９実施形態を説明する。
【０１３５】
図３１は本発明の第９実施形態に係る案内部材１１０と蓋部材７１ｅの概略的な平面図である。
【０１３６】
図３１に示すように、本実施形態に係る分析装置は、第８実施形態に係る試薬庫５２ａに対して、試薬保管庫５２ｂが追加されたものである。試薬保管庫５２ｂ内には、直動式の保管容器棚（図示しない）が設けられている。この試薬容器棚は、複数の試薬容器５１を保持しており、制御部４４からの指示に従い、これらの試薬容器５１を矢印ｎ方向に往復搬送する。
【０１３７】
例えば、試薬保管庫５２ｂ内の試薬容器５１に格納された試薬が分析対象の試薬となると、試薬庫５２ａ内の試薬容器５１が容器棚５３ａにより試薬保管庫５２ｂに受け渡される。そして、複数の試薬容器５１が保管容器棚により試薬庫５２ａと対向する位置に搬送され、容器棚５３ａに受け渡される。
【０１３８】
すなわち、本実施形態は、第８実施形態の試薬庫５２ａに試薬保管庫５２ｂが追加されたものであり、第８と同様の効果が得られる。
【０１３９】
（第１０実施形態）
次に、図３２〜図３４を用いて本発明の第１０実施形態を説明する。
【０１４０】
図３２は本発明の第１０実施形態に係る案内部材１１０と蓋部材７１ｅの概略的な平面図、図３３は同実施形態に係る内蓋８３ｅが閉塞位置にあるときの内蓋８３ｅと開口部５１ｂとの関係図、図３４は同実施形態に係る内蓋８３ｅが開放位置にあるときの内蓋８３ｅと開口部５１ｂとの関係図である。
【０１４１】
図３２に示すように、本実施形態に係る分析装置は、直方体状の試薬庫５２ａを備えている。試薬庫５２ａは、第８実施形態と殆んど同じものであるが、その分注位置には突出部１３５が設けられている。そのため、突出部１３５には、内蓋８３ｅを移動させるための案内部材１１０ａが設けられている。
【０１４２】
試薬庫５２ａの内部には、直動式の容器棚５３ａと、往復容器棚（図示しない）とが設けられている。この往復容器棚は、容器棚５３ａにより突出部１３５と対向する位置に位置決めされた試薬容器５１を矢印ｇ方向に往復搬送する。
【０１４３】
試薬容器５１が試薬庫５２ａ内から突出部１３５に移動すると、内蓋８３ｅがガイド面１１２ａにより押圧され、開放位置に移動される。これにより、内蓋８３ｅの穴部１１５と試薬容器５１の開口部５１ｂとが対向して、図３３に示すように、試薬容器５１の開口部５１ｂが開放される。
【０１４４】
一方、試薬容器５１が突出部１３５内から試薬庫５２ａに移動すると、内蓋８３ｅがガイド面１１２ａにより押圧されて、開放位置に移動される。これにより、内蓋８３ｅの穴部１１５と試薬容器５１の開口部５１ｂとがずれ、図３４に示すように、試薬容器５１の開口部１ｂが閉塞される。
【０１４５】
すなわち、試薬容器５１が突出部１３５内において往復搬送されると、その往路と復路で内蓋８３ｅが移動し、試薬容器５１の開口部５１ｂが開閉される。従って、このような構成であっても、第６実施形態と同様の効果が得られる。なお、本実施形態では、試薬容器５１の往復運動を利用しているため、案内部材１１０ａのガイド面１１２ａの形状は、第６実施形態に係るガイド面１１２の半分で足りる。
【０１４６】
（第１１実施形態）
次に、図３５〜図３７を用いて本発明の第１１実施形態を説明する。
【０１４７】
図３５は本発明の第１１実施形態に係る案内部材１１０ｂと蓋部材７１ｅの概略的な平面図、図３６は同実施形態に係る内蓋８３ｅが閉塞位置にあるときの内蓋８３ｅと開口部５１ｂとの関係図、図３７は同実施形態に係る内蓋８３ｅが開放位置にあるときの内蓋８３ｅと開口部５１ｂとの関係図である。
【０１４８】
本実施形態に係る分析装置では、試薬容器５１の開口部５１ｂを閉塞するときに試薬容器５１の回転運動が利用され、試薬容器の開口部５１ｂを開放するときには開放装置１３８が使用される。
【０１４９】
すなわち、図３５に示すように、本実施形態に係る案内部材１１０ｂは、試薬庫５２の軸線側に内蓋８３ｅを閉塞位置に移動させる１つのガイド面１１２ａを備え、試薬庫５２の壁部側に内蓋８３ｅを開放位置に移動させる開放装置１３８を備えている。
【０１５０】
開放装置１３８は、試薬容器５１が分注位置に位置決めされると、試薬庫５２の内側に突出し、その先端部で内蓋８３ｅを試薬庫５２の中心側に移動させる。これにより、内蓋８３ｅが開放位置に移動して、図３７に示すように試薬容器５１の開口部５１ｂが開放される。このような構成であっても、第６実施形態と同様の効果が得られる。
【０１５１】
（第１２実施形態）
次に、図３８を用いて本発明の第１２実施形態を説明する。
【０１５２】
図３８は本発明の第１２実施形態に係る案内部材１１０ｂと蓋部材７１ｅの概略的な平面図である。
【０１５３】
図３８に示すように、本実施形態に係る分析装置は、第１１実施形態に係る円筒状の試薬庫５２の代わりに、直方体状の試薬庫５２ａを備えている。この試薬庫５２ａは、第８実施形態と同じものであるが、その内部には直動式の容器棚５３ａが設けられている。
【０１５４】
この容器棚５３ａは、複数の試薬容器５１を保持し、これらの試薬容器５１を矢印ｍ方向に往復搬送する。内蓋８３ｅの移動は、この試薬容器５１の直線運動を利用して、第１１実施形態と同じ要領で行われる。このような構成であっても、第１１実施形態と同じ効果が得られる。
【０１５５】
なお、前記各実施形態では、シール材７４に柔軟なラバー製の素材が使用されている。しかしながら、本発明はこれに限定されるものではない。例えば、シール材７４に硬い素材が使用されることもある。その場合、シール材７４の内周面には、蓋部材が口部５１ａに完全に装着されたときに内蓋の向きが所望の向きとなるようにネジ溝が形成される。このようにすれば、蓋部材が完全に装着されれば、内蓋の方向も正しく設定されるから、蓋部材の装着作業が簡単化する。
【０１５６】
本発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【０１５７】
【図１】本発明の第１実施形態に係る分析装置の概略的な斜視図。
【図２】同実施形態に係る試薬庫の概略的な斜視図。
【図３】同実施形態に係る蓋部材と開閉ブロックの概略的な平面図。
【図４】同実施形態に係る内蓋が閉塞位置にあるときの蓋部材と開閉ブロックの横断面図。
【図５】同実施形態に係る内蓋が開放位置にあるときの蓋部材と開閉ブロックの横断面図。
【図６】同実施形態に係る揺動アームと内蓋の斜視図。
【図７】同実施形態に係る開閉ブロックの正面図。
【図８】本発明の第２実施形態に係る蓋部材と開閉ブロックの概略的な平面図。
【図９】同実施形態に係る内蓋が閉塞位置にあるときの蓋部材と開閉ブロックの横断面図。
【図１０】同実施形態に係る内蓋が開放位置にあるときの蓋部材と開閉ブロックの横断面図。
【図１１】同実施形態に係る揺動アームと内蓋の概略的な斜視図。
【図１２】本発明の第３実施形態に係る蓋部材と開閉ブロックの概略的な平面図。
【図１３】同実施形態に係る内蓋が閉塞位置にあるときの蓋部材と開閉ブロックの横断面図。
【図１４】同実施形態に係る内蓋が開放位置にあるときの蓋部材と開閉ブロックの横断面図。
【図１５】本発明の第４実施形態に係る蓋部材とアクチュエータの概略的な平面図。
【図１６】同実施形態に係る蓋部材とアクチュエータの横断面図。
【図１７】本発明の第５実施形態に係る蓋部材とアクチュエータの概略的な平面図。
【図１８】同実施形態に係る蓋部材とアクチュエータの横断面図。
【図１９】同実施形態に係る押圧部材と解除部材の側面図。
【図２０】本発明の第６実施形態に係る案内部材と蓋部材の概略的な平面図。
【図２１】同実施形態に係る案内部材の図２０のＡ−Ａ線における断面図。
【図２２】同実施形態に係る案内部材の図２０のＢ−Ｂ線における断面図。
【図２３】同実施形態に係る内蓋が閉塞位置にあるときの案内部材と蓋部材の横断面図。
【図２４】同実施形態に係る内蓋が開放位置にあるときの案内部材と蓋部材の横断面図。
【図２５】同実施形態に係る内蓋が閉塞位置にあるときの内蓋と開口部との関係図。
【図２６】同実施形態に係る内蓋が開放位置にあるときの内蓋と開口部との関係図。
【図２７】本発明の第７実施形態に係る案内部材と蓋部材の概略的な平面図。
【図２８】同実施形態に係る内蓋が閉塞位置にあるときの案内部材と蓋部材の横断面図。
【図２９】同実施形態に係る内蓋が開放位置にあるときの案内部材と蓋部材の横断面図。
【図３０】本発明の第８実施形態に係る案内部材と蓋部材の概略的な平面図。
【図３１】本発明の第９実施形態に係る案内部材と蓋部材の概略的な平面図。
【図３２】本発明の第１０実施形態に係る案内部材と蓋部材の概略的な平面図。
【図３３】同実施形態に係る内蓋が閉塞位置にあるときの内蓋と開口部との関係図。
【図３４】同実施形態に係る内蓋が開放位置にあるときの内蓋と開口部との関係図。
【図３５】本発明の第１１実施形態に係る案内部材と蓋部材の概略的な平面図。
【図３６】同実施形態に係る内蓋が閉塞位置にあるときの内蓋と開口部との関係図。
【図３７】同実施形態に係る内蓋が閉塞位置にあるときの内蓋と開口部との関係図。
【図３８】本発明の第１２実施形態に係る案内部材と蓋部材の概略的な平面図。
【図３９】従来の分析装置の斜視図。
【符号の説明】
【０１５８】
５１…試薬容器、５１ｂ…開口部、５３…容器棚、５３ａ…容器棚、７１…蓋部材、７１ａ…蓋部材、７１ｂ…蓋部材、７１ｃ…蓋部材、７１ｄ…蓋部材、７１ｅ…蓋部材、７１ｆ…蓋部材、８３…内蓋、８３ａ…内蓋、８３ｂ…内蓋、８３ｃ…内蓋、８３ｅ…内蓋、８５…押圧部材、９２…開閉機構、９２ａ…開閉機構、１１０…案内部材、１１０ａ…案内部材、１１０ｂ…案内部材、１１５…穴部。
【図１】
2006030170.tif 000003
【図２】
2006030170.tif 000004
【図３】
2006030170.tif 000005
【図４】
2006030170.tif 000006
【図５】
2006030170.tif 000007
【図６】
2006030170.tif 000008
【図７】
2006030170.tif 000009
【図８】
2006030170.tif 000010
【図９】
2006030170.tif 000011
【図１０】
2006030170.tif 000012
【図１１】
2006030170.tif 000013
【図１２】
2006030170.tif 000014
【図１３】
2006030170.tif 000015
【図１４】
2006030170.tif 000016
【図１５】
2006030170.tif 000017
【図１６】
2006030170.tif 000018
【図１７】
2006030170.tif 000019
【図１８】
2006030170.tif 000020
【図１９】
2006030170.tif 000021
【図２０】
2006030170.tif 000022
【図２１】
2006030170.tif 000023
【図２２】
2006030170.tif 000024
【図２３】
2006030170.tif 000025
【図２４】
2006030170.tif 000026
【図２５】
2006030170.tif 000027
【図２６】
2006030170.tif 000028
【図２７】
2006030170.tif 000029
【図２８】
2006030170.tif 000030
【図２９】
2006030170.tif 000031
【図３０】
2006030170.tif 000032
【図３１】
2006030170.tif 000033
【図３２】
2006030170.tif 000034
【図３３】
2006030170.tif 000035
【図３４】
2006030170.tif 000036
【図３５】
2006030170.tif 000037
【図３６】
2006030170.tif 000038
【図３７】
2006030170.tif 000039
【図３８】
2006030170.tif 000040
【図３９】
2006030170.tif 000041